(57)【要約】【課題】包装フィルムの幅寸法や材質にかかわらず、紙継ぎ台上での包装フィルムの固定を容易にする紙継ぎ方法及び装置を提供する。【解決手段】紙継ぎ長さに切り出した紙継ぎテープＴａが、両端の余剰テープ部Ｔｅ，Ｔｅにおいて、テープセット部材５，５に備わるテープセット板６，６の外板部１６に貼られる。テープセット板６，６を反転して、紙継ぎテープＴａが、テープ長手方向が帯状包装材Ｆｗの帯幅方向に揃う状態とし且つ粘着面を上にして、テープセット板６，６によって紙継ぎ台２上に押えられる。新旧の帯状包装材の終了端と開始端が、紙継ぎテープの主テープ部Ｔｍに対して貼り付けられる。テープセット板６，６から剥がされた余剰テープ部Ｔｅ，Ｔｅを折り返して両帯状包装材上に折り返して貼り付けることで、新旧の帯状包装材が煽られることなく、確実且つ容易に帯状包装材Ｆｗの紙継ぎが行われる。【選択図】図５
2016204108.tif 000002
【特許請求の範囲】
【請求項１】
紙継ぎ台上で旧帯状包装材の終了端と新帯状包装材の開始端を紙継ぎテープで繋ぐ紙継ぎ方法において、
片面が粘着面である紙継ぎテープを、当該帯状包装材の帯幅に相当する主テープ部の両端にそれぞれ余剰テープ部が余された紙継ぎ長さに切り出す紙継ぎテープ切出し工程、
切り出された前記紙継ぎテープを、前記粘着面を上にして、前記両余剰テープ部の上方からテープセット部材によって前記紙継ぎ台上に押える紙継ぎテープ押え工程、
前記旧帯状包装材の前記終了端と前記新帯状包装材の前記開始端を前記紙継ぎテープに対してその幅方向に分けて貼り付ける包装材端部貼付け工程、
前記両余剰テープ部における前記紙継ぎテープと前記テープセット部材との粘着を剥がす紙継ぎテープ剥がし工程、及び
前記テープセット部材との粘着が剥がされた前記両余剰テープ部を前記紙継ぎテープに貼り付けられている前記両帯状包装材の前記終了端と前記開始端上に折り返して貼り付ける余剰テープ部折返し工程、
を有することを特徴とする帯状包装材の紙継ぎ方法。
【請求項２】
紙継ぎ台上で旧帯状包装材の終了端と新帯状包装材の開始端を紙継ぎテープで繋ぐ紙継ぎ方法において、
片面が粘着面である紙継ぎテープを、当該帯状包装材の帯幅に相当する主テープ部の両端にそれぞれ余剰テープ部が余された紙継ぎ長さに切り出す紙継ぎテープ切出し工程、
前記旧帯状包装材と前記新帯状包装材を、前記紙継ぎ台上で紙継ぎされたとするときの前記終了端と前記開始端をそれぞれ端縁側に余す位置で、包装材押え部材によって前記紙継ぎ台上に押える包装材押え工程、
切り出された前記紙継ぎテープを、前記紙継ぎ台上に押えられた前記旧帯状包装材の前記終了端と前記新帯状包装材の前記開始端を覆う態様で、前記粘着面を上にして、前記両余剰テープ部の上方からテープセット部材によって前記紙継ぎ台上に押える紙継ぎテープ押え工程、
前記旧帯状包装材の前記終了端と前記新帯状包装材の前記開始端をそれぞれ前記紙継ぎテープの下から引き出し、引き出された前記終了端と前記開始端を前記紙継ぎテープに対してその幅方向に分けて貼り付ける包装材端部貼付け工程、
前記両余剰テープ部における前記紙継ぎテープと前記テープセット部材との粘着を剥がす紙継ぎテープ剥がし工程、及び
前記テープセット部材との粘着が剥がされた前記両余剰テープ部を前記紙継ぎテープに貼り付けられている前記両帯状包装材上の前記終了端と前記開始端に折り返して貼り付ける余剰テープ部折返し工程、
を有することを特徴とする帯状包装材の紙継ぎ方法。
【請求項３】
前記包装材押え工程において、前記包装材押え部材が前記旧帯状包装材を押える前記位置よりも前記終了端寄りの位置において、前記紙継ぎ台から浮き上がる前記旧帯状包装材を押して、前記終了端の煽りを補助的に抑えることを特徴とする請求項２に記載の帯状包装材の紙継ぎ方法。
【請求項４】
前記紙継ぎテープ押え工程において、切り出された前記紙継ぎテープを、前記紙継ぎ台上から離れた待機位置に置かれている前記テープセット部材に対して前記両余剰テープ部の前記粘着面で貼り付けし、前記紙継ぎテープの非粘着面を前記紙継ぎ台の台面側に向けて前記テープセット部材を前記紙継ぎ台上の作業位置に置くことにより、前記紙継ぎテープが前記両余剰テープ部の上方から前記テープセット部材によって前記紙継ぎ台上に押えられることを特徴とする請求項１又は２に記載の帯状包装材の紙継ぎ方法。
【請求項５】
紙継ぎ台上で旧帯状包装材の終了端と新帯状包装材の開始端を紙継ぎテープで繋ぐ紙継ぎ装置において、
当該帯状包装材の帯幅に相当する主テープ部の両端にそれぞれ余剰テープ部が余された紙継ぎ長さに切り出された片面が粘着面である紙継ぎテープが、前記各余剰テープ部においてそれぞれ貼り付けされる一対のテープセット部材を備えており、
前記テープセット部材は、切り出された前記紙継ぎテープが前記粘着面で貼り付け可能な待機位置と、前記粘着面を上にして前記紙継ぎテープの長手方向を前記帯状包装材の帯幅方向に揃えた状態で、前記紙継ぎテープを前記両余剰テープ部において前記紙継ぎ台の上方から前記紙継ぎ台上に押える作業位置との間で移動可能であり、
前記テープセット部材が前記作業位置を占めるときに、前記旧帯状包装材の前記終了端と前記新帯状包装材の前記開始端が前記紙継ぎテープに対して前記紙継ぎテープの幅方向に分けて貼り付けられ、
前記両余剰テープ部との粘着が剥がされた前記テープセット部材が前記待機位置に戻される際に、前記両余剰テープ部が前記紙継ぎテープに貼り付けられている前記両帯状包装材の前記終了端と前記開始端上に折り返して貼り付けられること
を特徴とする帯状包装材の紙継ぎ装置。
【請求項６】
紙継ぎ台上で旧帯状包装材の終了端と新帯状包装材の開始端を紙継ぎテープで繋ぐ紙継ぎ装置において、
当該帯状包装材の帯幅に相当する主テープ部の両端にそれぞれ余剰テープ部が余された紙継ぎ長さに切り出された片面が粘着面である紙継ぎテープが、前記各余剰テープ部においてそれぞれ貼り付けされる一対のテープセット部材と、
前記旧帯状包装材と前記新帯状包装材を、前記紙継ぎ台上で紙継ぎされたとするときの前記終了端と前記開始端をそれぞれ端縁側に余す位置で、前記紙継ぎ台上に押える包装材押え部材とを備えており、
前記テープセット部材は、切り出された前記紙継ぎテープが前記粘着面で貼り付け可能な待機位置と、前記粘着面を上にして前記紙継ぎテープの長手方向を前記帯状包装材の帯幅方向に揃えた状態で、前記紙継ぎテープを前記両余剰テープ部において前記紙継ぎ台上に押える作業位置との間で移動可能であり、
前記テープセット部材が前記作業位置を占めるときに、前記包装材押え部材によって前記紙継ぎ台上に押えられている前記旧帯状包装材の前記終了端と前記新帯状包装材の前記開始端が前記紙継ぎテープに対して前記紙継ぎテープの幅方向に分けて貼り付けられ、
前記両余剰テープ部との粘着が剥がされた前記テープセット部材が前記待機位置に戻される際に、前記両余剰テープ部が前記紙継ぎテープに貼り付けられている前記両帯状包装材の前記終了端と前記開始端上に折り返して貼り付けられること
を特徴とする帯状包装材の紙継ぎ装置。
【請求項７】
前記包装材押え部材は、前記包装材押え部材が前記旧帯状包装材を押える前記位置よりも前記終了端寄りの位置において、前記紙継ぎ台から浮き上がる前記旧帯状包装材を押して、前記終了端の煽りを補助的に抑える包装材補助押え部材を備えていることを特徴とする請求項６に記載の帯状包装材の紙継ぎ装置。
【請求項８】
前記紙継ぎ台には、前記包装材押え部材が前記旧帯状包装材と前記新帯状包装材を押える位置において、前記包装材押え部材が前記旧帯状包装材と前記新帯状包装材を押し込むスリットが形成されていることを特徴とする請求項６又は７に記載の帯状包装材の紙継ぎ装置。
【請求項９】
前記紙継ぎ台には、前記旧帯状包装材又は重ねられた前記旧帯状包装材と前記新帯状包装材をカッタによって切断して前記旧帯状包装材の前記終了端又は前記旧帯状包装材の前記終了端と前記新帯状包装材の前記開始端を形成するため、帯幅方向に沿って延び且つ前記カッタの刃先が入り込み可能な切断用のスリットが形成されていることを特徴とする請求項５〜８のいずれか一項に記載の帯状包装材の紙継ぎ装置。
【請求項１０】
前記テープセット部材は、薄板材から形成されており、且つ前記紙継ぎ台の前記帯状包装材送り方向上流側において帯幅方向に延びる回転軸の回りに回動可能とされたテープセット板を備えており、
前記待機位置は、前記回転軸の回りに手前側に回動されて垂れ下がる前記テープセット板に対して前記紙継ぎテープが前記粘着面で手前側から貼付け可能とされた位置であり、  前記作業位置は、前記回転軸の回りに手前側から先奥側に反転された前記テープセット板が前記紙継ぎテープの前記粘着面を上にして前記紙継ぎテープを前記紙継ぎ台に押える位置であり、
前記テープセット板は、前記作業位置において、前記包装材押え部材によって前記紙継ぎ台上に押えられている前記旧帯状包装材の前記終了端と前記新帯状包装材の前記開始端に対応させて前記紙継ぎテープを置き、前記紙継ぎテープを前記両余剰テープ部において前記紙継ぎ台上に押えることを特徴とする請求項５〜９のいずれか一項に記載の帯状包装材の紙継ぎ装置。
【請求項１１】
前記テープセット部材は、前記帯状包装材の前記帯幅の寸法に応じて前記帯状包装材の幅方向に位置調整されることを特徴とする請求項１０に記載の帯状包装材の紙継ぎ装置。
【発明の詳細な説明】
【技術分野】
【０００１】
この発明は、ウェブ状包装フィルムのような帯状包装材について、供給中の包装材がその終端に至ったときに新しい包装材の始端を繋ぐ紙継ぎ方法及び装置に関する。
【背景技術】
【０００２】
従来、帯状の包装フィルム（「帯状フィルム」という）を巻き取ったフィルムロールから帯状フィルムを繰り出し、繰り出された帯状フィルムを製袋器に通すことによって略筒状に曲成し、前記製袋器から送られる帯状フィルムの両側縁部をセンターシーラによってシールして筒状フィルムを形成し、前記製袋器の中を通して筒状フィルムの中へ製品を供給し、前記筒状フィルムに前記製品間の位置でエンドシーラによってエンドシールを施すことで、袋を製造しながら充填される製品を袋に包装する製袋充填包装機が知られている。製袋充填包装機としては、製袋器が縦に配置されて製品が上方から投入される縦型の製袋充填包装機や、製袋器が横置きされて製品が供給コンベヤによって筒状フィルム内に送り込まれる横型の製袋充填包装機が提供されている。
【０００３】
フィルムロールからの帯状フィルムの繰り出しがその終端に近づくと、通常は、製袋充填包装機の運転を中止し、終了する帯状フィルム（「旧帯状フィルム」という）に新しいフィルムロールからの帯状フィルム（「新帯状フィルム」という）を繋ぎ（当該作業を「紙継ぎ」作業という）、繋いだ帯状フィルムで製袋充填包装機の運転が再開される。
【０００４】
紙継ぎの作業は、具体的には、終端に近づいた旧帯状フィルムを横断方向に切断し、切断した端部を紙継ぎ台の上に載せ、紙継ぎ台上において、この切断した端部に新帯状フィルムの始端（同様に、切断された端部）を近づけて載せ、旧帯状フィルムの両切断端を粘着テープのような繋ぎテープで接続させることで行われる。
【０００５】
紙継ぎの作業においては、その後の製袋充填包装機の運転再開をスムーズに行うことができるように、新旧の両帯状フィルムの方向と両側縁部が位置ずれや角度を付けて繋がることなくストレートに揃うように接続することが好ましい。そのためには、新旧の両帯状フィルムの切断端を紙継ぎ台の上に載せて繋ぎテープで接続させる際に、方向と位置とを合わせた両帯状フィルムの切断端が紙継ぎ台の上で動かないように固定する必要がある。この固定方法について通常、用いられるものとしては、紙継ぎ台を吸着台に構成して両帯状フィルムの切断端を紙継ぎ台に吸着固定する方法と、紙継ぎ台上のフィルムをその上からラバーマグネットで押さえて固定する方法とが挙げられる。
【０００６】
紙継ぎ台に吸着固定する方法としては、例えば、引用文献１又は引用文献２に記載のものがある。引用文献１には、ウェブ材包装材（帯状フィルム）の終端検出装置に関連して、紙継ぎ等の終端処理を行うためのウェブ状包装材を吸着可能なウェブ材吸着手段が開示されている。ウェブ材吸着手段は、ウェブ状包装材の走行経路に沿う形態で配置されており、ウェブ状包装材の横幅よりも広い幅を有する吸着プレートを備えている。吸着プレートには、ウェブ状包装材の横断方向に延びてカッタが通過可能なスリットと、スリットの両側にスリットに沿って延びた吸着孔列が形成されており、紙継ぎ台としての役割を果たす。各吸着孔列は、例えば、空気を吹き出すエジェクタに伴って発生された負圧によってウェブ状包装材を吸着して保持する。
【０００７】
ウェブ材吸着手段は、ウェブ状包装材の終端が判定されるときに、直ちに作動してウェブ状包装材を吸着する。ウェブ状包装材は、吸着プレートに全幅を載せた状態に吸着される。吸着プレートに形成されているスリットにカッタの刃先を沿わせて移動させることで、ウェブ状包装材は、既に供給されている旧帯状フィルムが、フィルムロール側の帯状フィルムから切断される。紙継ぎについては、新しいウェブ材包装材の始端が、旧ウェブ材包装材の切断端に沿って、吸着プレートに吸着された状態に置かれ、両ウェブ材包装材の端部を紙繋ぎテープで繋ぐという使われ方をする。
【０００８】
引用文献２には、模様合わせを可能にする紙つなぎ方法及び装置が開示されている。即ち、フィルムロールからの包装材繰り出しの終了が検出されると、制御装置は機械の停止処理を行うとともに、包装材の搬送方向へは回転しないワンウェイ・ストッパ入りゴムロールによって包装材（ウェブ材）を押える。ワンウェイ・ストッパ入りゴムロールからフィルムロールに向う上流側では、ダンサローラによる貯留部に余分な包装材が残された状態で機械が停止される。フィルムロールの古い紙管を取り除き新しいフィルムロールを巻き取りホルダにセットする。反搬送方向にのみ回転可能なワンウェイ・ストッパ入りゴムロールにより固定されている包装材を新しいフィルムロールの方向に引き出し、表面どうしを、模様合わせをして紙つなぎ作業を行う。古い包装材をロールの方向に引き出すだけなので手間もかからずに紙つなぎ作業を行うことを図っている。
【０００９】
しかしながら、紙継ぎ台上に包装フィルムを固定する方法として、吸着式の固定方法は、最大幅の包装フィルムに対して吸着可能とするため、吸着プレートの表面に予めその最大幅に対応した個数の吸引孔の列を開口させた構造を用いている。したがって、包装フィルムの幅寸法が最大幅に達しない値であると、包装フィルムの側方に包装フィルムで覆われない吸引口が生じることが避けられず、包装フィルムで覆っている吸引孔であってもその吸引力が低下する。したがって、この固定方法では、用いる包装フィルムの幅に実質的な制約がある。
【００１０】
ラバーマグネット式の固定方法は、ラバーマグネットを、紙継ぎ台上に載せた包装フィルムの上から貼ることで、紙継ぎ台と紙継ぎ台に磁気吸着されるラバーマグネットとの間に包装フィルムを固定する方法である。ラバーマグネットを手に持って紙継ぎ台に貼る際に、一時的に包装フィルムの押さえがなくなるので、その間に包装フィルムが静電気や風の煽りでカールするおそれがある。特に、薄手のポリエチレン製の包装フィルムはカールし易いので、そうした包装材への対応が難しい。
【先行技術文献】
【特許文献】
【００１１】
【特許文献１】特開２００７−２５４０８４号公報（特に図１参照）
【特許文献２】特開２０１２−２４０７５６号公報（特に図７参照）
【発明の概要】
【発明が解決しようとする課題】
【００１２】
そこで、帯状包装材の幅寸法や材質にかかわらず、紙継ぎ台上での帯状包装材の紙継ぎを容易に行うことを可能にする点で解決すべき課題がある。
【００１３】
この発明の目的は、上記課題を解決することであり、帯状包装材の幅寸法や材質にかかわらず、紙継ぎ台上での帯状包装材の紙継ぎを容易にする帯状包装材の紙継ぎ方法及び装置を提供することである。
【課題を解決するための手段】
【００１４】
上記の課題を解決するため、この発明による帯状包装材の紙継ぎ方法は、紙継ぎ台上で旧帯状包装材の終了端と新帯状包装材の開始端を紙継ぎテープで繋ぐ紙継ぎ方法であって、片面が粘着面である紙継ぎテープを、当該帯状包装材の帯幅に相当する主テープ部の両端にそれぞれ余剰テープ部が余された紙継ぎ長さに切り出す紙継ぎテープ切出し工程、切り出された前記紙継ぎテープを、前記粘着面を上にして、前記両余剰テープ部の上方からテープセット部材によって前記紙継ぎ台上に押える紙継ぎテープ押え工程、前記旧帯状包装材の前記終了端と前記新帯状包装材の前記開始端を前記紙継ぎテープに対してその幅方向に分けて貼り付ける包装材端部貼付け工程、前記両余剰テープ部における前記紙継ぎテープと前記テープセット部材との粘着を剥がす紙継ぎテープ剥がし工程、及び前記テープセット部材との粘着が剥がされた前記両余剰テープ部を前記紙継ぎテープに貼り付けられている前記両帯状包装材の前記終了端と前記開始端上に折り返して貼り付ける余剰テープ部折返し工程、を有することを特徴としている。
【００１５】
また、この発明による帯状包装材の紙継ぎ方法は、紙継ぎ台上で旧帯状包装材の終了端と新帯状包装材の開始端を紙継ぎテープで繋ぐ紙継ぎ方法であって、片面が粘着面である紙継ぎテープを、当該帯状包装材の帯幅に相当する主テープ部の両端にそれぞれ余剰テープ部が余された紙継ぎ長さに切り出す紙継ぎテープ切出し工程、前記旧帯状包装材と前記新帯状包装材を、前記紙継ぎ台上で紙継ぎされたとするときの前記終了端と前記開始端をそれぞれ端縁側に余す位置で、包装材押え部材によって前記紙継ぎ台上に押える包装材押え工程、切り出された前記紙継ぎテープを、前記紙継ぎ台上に押えられた前記旧帯状包装材の前記終了端と前記新帯状包装材の前記開始端を覆う態様で、前記粘着面を上にして、前記両余剰テープ部の上方からテープセット部材によって前記紙継ぎ台上に押える紙継ぎテープ押え工程、前記旧帯状包装材の前記終了端と前記新帯状包装材の前記開始端をそれぞれ前記紙継ぎテープの下から引き出し、引き出された前記終了端と前記開始端を前記紙継ぎテープに対してその幅方向に分けて貼り付ける包装材端部貼付け工程、前記両余剰テープ部における前記紙継ぎテープと前記テープセット部材との粘着を剥がす紙継ぎテープ剥がし工程、及び前記テープセット部材との粘着が剥がされた前記両余剰テープ部を前記紙継ぎテープに貼り付けられている前記両帯状包装材上の前記終了端と前記開始端に折り返して貼り付ける余剰テープ部折返し工程、を有することを特徴としている。
【００１６】
この帯状包装材の紙継ぎ方法によれば、先ず、紙継ぎテープ切出し工程において、片面が粘着面である紙継ぎテープが、帯状包装材の帯幅に相当する主テープ部の両端にそれぞれ余剰テープ部が余された紙継ぎ長さに切り出される。次に、紙継ぎテープ押え工程においては、切り出された紙継ぎテープは、粘着面を上にして、且つ両余剰テープ部の上方からテープセット部材によって紙継ぎ台上に押えられる。次に、包装材端部貼付け工程においては、新旧の帯状包装材の終了端と開始端が、紙継ぎテープに対してその幅方向に分けて貼り付けられる。次に、紙継ぎテープ剥がし工程において、両余剰テープ部における紙継ぎテープとテープセット部材との粘着が剥がされる。そして、余剰テープ部折返し工程において、テープセット部材との粘着が剥がされた両余剰テープ部が紙継ぎテープに貼り付けられている両帯状包装材の終了端と開始端上に折り返して貼り付けられて、紙継ぎが行われる。帯状包装材の帯幅に相当する主テープ部の両端にそれぞれ余剰テープ部が余された紙継ぎ長さに紙継ぎテープを切り出し、紙継ぎテープを余剰テープ部においてテープセット部材によって紙継ぎ台上に押えるので、紙継ぎテープの紙継ぎ台上での押えが容易にできる。そして、新旧の帯状包装材の終了端と開始端が紙継ぎテープの粘着面に貼り付けられテープセット部材から剥がした両余剰テープ部を折り返して終了端と開始端貼り付けることで、新旧の帯状包装材の紙継ぎを容易に行うことができる。
また、新旧の帯状包装材を紙継ぎ台上に押える工程を備える帯状包装材の紙継ぎ方法においては、新旧の帯状包装材は、紙継ぎ台上で紙継ぎされたとするときの終了端と開始端の位置が想定され、その想定される終了端と開始端をそれぞれ端縁側に余すことになる位置で、包装材押え部材によって紙継ぎ台上に押えられる。
【００１７】
包装材押え工程を備える帯状包装材の紙継ぎ方法においては、前記包装材押え部材が前記旧帯状包装材を押える前記位置よりも前記終了端寄りの位置において前記旧帯状包装材を押して、前記終了端の煽りによる前記紙継ぎ台からの浮き上がりを補助的に抑えることができる。旧帯状包装材については、端部が風や静電気に起因した煽りによってカールしやすい。旧帯状包装材が紙継ぎ台から浮き上がるのを補助的に抑えることで、旧帯状包装材の終了端を紙継ぎ台に効果的に押えることができる。
また、この帯状包装材の紙継ぎ方法においては、前記紙継ぎテープ押え工程において、切り出された前記紙継ぎテープを、前記紙継ぎ台上から離れた待機位置に置かれている前記テープセット部材に対して前記両余剰テープ部の前記粘着面で貼り付けし、前記紙継ぎテープの非粘着面を前記紙継ぎ台の台面側に向けて前記テープセット部材を前記紙継ぎ台上の作業位置に置くことにより、前記紙継ぎテープが前記両余剰テープ部の上方から前記テープセット部材によって前記紙継ぎ台上に押えられる。テープセット部材を待機位置と作業位置とに切り換えて置くことで、切り出された紙継ぎテープが待機位置で貼り付けされ、作業位置ではテープセット部材が両余剰テープ部をその上方から押えることで紙継ぎテープが紙継ぎ台上に押えられる。
【００１８】
上記の課題を解決するため、この発明による帯状包装材の紙継ぎ装置は、紙継ぎ台上で旧帯状包装材の終了端と新帯状包装材の開始端を紙継ぎテープで繋ぐ紙継ぎ装置であって、当該帯状包装材の帯幅に相当する主テープ部の両端にそれぞれ余剰テープ部が余された紙継ぎ長さに切り出された片面が粘着面である紙継ぎテープが、前記各余剰テープ部においてそれぞれ貼り付けされる一対のテープセット部材を備えており、前記テープセット部材は、切り出された前記紙継ぎテープが前記粘着面で貼り付け可能な待機位置と、前記粘着面を上にして前記紙継ぎテープの長手方向を前記帯状包装材の帯幅方向に揃えた状態で、前記紙継ぎテープを前記両余剰テープ部において前記紙継ぎ台の上方から前記紙継ぎ台上に押える作業位置との間で移動可能であり、前記テープセット部材が前記作業位置を占めるときに、前記旧帯状包装材の前記終了端と前記新帯状包装材の前記開始端が前記紙継ぎテープに対して前記紙継ぎテープの幅方向に分けて貼り付けられ、前記両余剰テープ部との粘着が剥がされた前記テープセット部材が前記待機位置に戻される際に、前記両余剰テープ部が前記紙継ぎテープに貼り付けられている前記両帯状包装材の前記終了端と前記開始端上に折り返して貼り付けられること、を特徴としている。
【００１９】
また、この発明による帯状包装材の紙継ぎ装置は、紙継ぎ台上で旧帯状包装材の終了端と新帯状包装材の開始端を紙継ぎテープで繋ぐ紙継ぎ装置であって、当該帯状包装材の帯幅に相当する主テープ部の両端にそれぞれ余剰テープ部が余された紙継ぎ長さに切り出された片面が粘着面である紙継ぎテープが、前記各余剰テープ部においてそれぞれ貼り付けされる一対のテープセット部材と、前記旧帯状包装材と前記新帯状包装材を、前記紙継ぎ台上で紙継ぎされたとするときの前記終了端と前記開始端をそれぞれ端縁側に余す位置で、前記紙継ぎ台上に押える包装材押え部材とを備えており、前記テープセット部材は、切り出された前記紙継ぎテープが前記粘着面で貼り付け可能な待機位置と、前記粘着面を上にして前記紙継ぎテープの長手方向を前記帯状包装材の帯幅方向に揃えた状態で、前記紙継ぎテープを前記両余剰テープ部において前記紙継ぎ台上に押える作業位置との間で移動可能であり、前記テープセット部材が前記作業位置を占めるときに、前記包装材押え部材によって前記紙継ぎ台上に押えられている前記旧帯状包装材の前記終了端と前記新帯状包装材の前記開始端が前記紙継ぎテープに対して前記紙継ぎテープの幅方向に分けて貼り付けられ、前記両余剰テープ部との粘着が剥がされた前記テープセット部材が前記待機位置に戻される際に、前記両余剰テープ部が前記紙継ぎテープに貼り付けられている前記両帯状包装材の前記終了端と前記開始端上に折り返して貼り付けられること、を特徴としている。
【００２０】
この帯状包装材の紙継ぎ装置によれば、待機位置と作業位置との間で移動可能な一対のテープセット部材を備えているので、待機位置では、帯状包装材の帯幅に相当する主テープ部の両端にそれぞれ余剰テープ部が余された紙継ぎ長さに切り出された紙継ぎテープが片面の粘着面で貼り付けされ、待機位置から移動した作業位置では、粘着面を上にして紙継ぎテープの長手方向を帯状包装材の帯幅方向に揃えた状態で、両余剰テープ部を紙継ぎ台の上方から紙継ぎ台上に押えることで、紙継ぎテープが紙継ぎ台上で押えられる。また、テープセット部材が作業位置を占めているときに、旧帯状包装材の終了端と新帯状包装材の開始端が紙継ぎテープに対してその幅方向に分けて貼り付けられ、両余剰テープ部との粘着が剥がされたテープセット部材が待機位置に戻される際に、両余剰テープ部が紙継ぎテープに貼り付けられている両帯状包装材の終了端と開始端上に折り返して貼り付けられることで、新旧帯状包装材の紙継ぎが行われる。
また、新旧の帯状包装材を紙継ぎ台上に押える包装材押え部材を備える帯状包装材の紙継ぎ装置においては、新旧の帯状包装材は、紙継ぎ台上で紙継ぎされたとするときの終了端と開始端の位置が想定され、その想定される終了端と開始端をそれぞれ端縁側に余すことになる位置で、包装材押え部材によって紙継ぎ台上に押えられる。また、テープセット部材が作業位置を占めており、包装材押え部材が新旧両帯状包装材を紙継ぎ台上に押えているときに、紙継ぎ台上に押えられている旧帯状包装材の終了端と新帯状包装材の開始端が紙継ぎテープに対して前記紙継ぎテープの幅方向に分けて貼り付けられる。
【００２１】
包装材押え部材を備える帯状包装材の紙継ぎ装置において、前記包装材押え部材は、前記包装材押え部材が前記旧帯状包装材を押える前記位置よりも前記終了端寄りの位置において、前記紙継ぎ台から浮き上がる前記旧帯状包装材を押して、前記終了端の煽りを補助的に抑える包装材補助押え部材を備えることができる。旧帯状包装材については、端部が風や静電気に起因した煽りによってカールしやすい。包装材押え部材が備える包装材補助押え部材によって、旧帯状包装材が紙継ぎ台から浮き上がるのを補助的に抑えることで、旧帯状包装材の終了端を紙継ぎ台に効果的に押えることができる。
また、前記紙継ぎ台には、前記包装材押え部材が前記旧帯状包装材と前記新帯状包装材を押える位置において、前記包装材押え部材が前記旧帯状包装材と前記新帯状包装材を押し込むスリットを形成することができる。包装材押え部材とスリットの縁との間に帯状包装材が挟まれることで、帯状包装材の紙継ぎ台上での固定が確実になり、紙継ぎ作業がしやすくなる。
【００２２】
この帯状包装材の紙継ぎ装置において、紙継ぎ台には、前記旧帯状包装材又は重ねられた前記旧帯状包装材と前記新帯状包装材をカッタによって切断して前記旧帯状包装材の前記終了端又は前記旧帯状包装材の前記終了端と前記新帯状包装材の前記開始端を形成するため、帯幅方向に沿って延び且つ前記カッタの刃先が入り込み可能な切断用のスリットを形成することができる。旧帯状包装材又は重ねられた旧帯状包装材と新帯状包装材を切断用のスリットの上に置いて、カッタの刃先がスリット内に入るようにしてカッタをスリットに沿って移動させることで、旧帯状包装材の終了端又は旧帯状包装材の終了端と新帯状包装材の開始端を真っ直ぐに綺麗に形成することができる。
また、この帯状包装材の紙継ぎ装置において、前記テープセット部材は、薄板材から形成されており、且つ前記紙継ぎ台の前記帯状包装材送り方向上流側において帯幅方向に延びる回転軸の回りに回動可能とされたテープセット板を備えており、前記待機位置は、前記回転軸の回りに手前側に回動されて垂れ下がる前記テープセット板に対して前記紙継ぎテープが前記粘着面で手前側から貼付け可能とされた位置であり、前記作業位置は、前記回転軸の回りに手前側から先奥側に反転された前記テープセット板が前記紙継ぎテープの前記粘着面を上にして前記紙継ぎテープを前記紙継ぎ台に押える位置であり、前記テープセット板は、前記作業位置において、前記包装材押え部材によって前記紙継ぎ台上に押えられている前記旧帯状包装材の前記終了端と前記新帯状包装材の前記開始端に対応させて前記紙継ぎテープを置き、前記紙継ぎテープを前記両余剰テープ部において前記紙継ぎ台上に押えるとすることができる。テープセット部材が備えるテープセット板は回転軸の回りに待機位置と作業位置との間で回動可能であるとしているので、回転軸に垂れ下がる待機位置では、テープセット板に紙継ぎテープを手前側から貼付け可能であり、テープセット板が手前側から先奥側へと反転されて紙継ぎ台上を占める作業位置では、包装材押え部材によって紙継ぎ台上に押えられている旧帯状包装材の終了端と新帯状包装材の開始端に対応して紙継ぎテープを置き、その両余剰テープ部において紙継ぎ台上に押さえることで、紙継ぎテープが紙継ぎ台上に押えることができる。
更に、この帯状包装材の紙継ぎ装置において、前記テープセット部材を、前記帯状包装材の前記帯幅の寸法に応じて前記帯状包装材の幅方向に位置調整することができる。帯状包装材の帯幅寸法が変更になった場合であっても、テープセット部材を回転軸の軸線方向に沿って位置調整することで、紙継ぎを行うことができる。
【発明の効果】
【００２３】
この発明による包装フィルムの紙継ぎ方法及び装置は、上記のように構成されているので、片面が粘着面である紙継ぎテープが、前記帯状包装材の帯幅に相当する主テープ部の両端にそれぞれ余剰テープ部が余された紙継ぎ長さに切り出され、切り出された紙継ぎテープは粘着面を上にして両余剰テープ部の上方からテープセット部材によって紙継ぎ台上に押えられ、新旧の帯状包装材の終了端と開始端は、紙継ぎテープに対してその幅方向に分けて貼り付けられ、その後、両余剰テープ部における紙継ぎテープとテープセット部材との粘着を剥がして、余剰テープ部を紙継ぎテープに貼り付けられている両帯状包装材の終了端と開始端上に折り返して貼り付けられる。特に、紙継ぎテープはテープセット部材によって紙継ぎ台上に押えられ、その紙継ぎテープに対して、新旧の帯状包装材の終了端と開始端をそれぞれ貼り付けるので、帯状包装材の材質が例えば静電気や風の煽りでカールし易いものであったとしても、そうしたカールすることなく紙継ぎ台上で押えられている紙継ぎテープに対して素早く貼り付けることができ、帯状包装材の紙継ぎテープへの固定、即ち、紙継ぎ作業を容易に且つ確実にする紙継ぎ方法及び装置を提供することができる。また、テープセット部材を、切り出された紙継ぎテープが粘着面で貼り付けされる待機位置と、紙継ぎテープを両余剰テープ部において紙継ぎ台上に押える作業位置とにそれぞれ切り換え可能とすることで、テープセット部材の取扱いや使用が簡素化・容易化され、延いては紙継ぎ作業を容易に且つ確実にすることができる。
【図面の簡単な説明】
【００２４】
【図１】図１は、この発明による帯状包装材の紙継ぎ装置の第１実施例を示す斜視図である。
【図２】図２は、図１に示す帯状包装材の紙継ぎ装置のテープセット部材の使い方を説明する斜視図である。
【図３】図３は、図１に示す帯状包装材の紙継ぎ装置の縦断面図である。
【図４】この発明による帯状包装材の紙継ぎ方法であって、この発明の第１実施例に示す帯状包装材の紙継ぎ装置を用いて、紙継ぎテープをテープセット板にセットして、旧帯状包装材の終了端を形成するまでの工程を示す図である。
【図５】この発明による帯状包装材の紙継ぎ方法であって、図４に示す工程の後、旧帯状包装材について形成した終了端の処理を行う工程を示す図である。
【図６】この発明による帯状包装材の紙継ぎ方法であって、図５に示す工程の後、旧帯状包装材の終了端と新帯状包装材の開始端を継ぐ処理を行う工程を示す図である。
【図７】図７は、この発明による帯状包装材の紙継ぎ装置の第２実施例を、包装材押さえ部材とテープセット部材が共に待機位置にある状態で示す斜視図である。
【図８】図８は、図７に示す帯状包装材の紙継ぎ装置を、包装材押さえ部材とテープセット部材が共に継ぎ台上の作業位置にある状態で示す斜視図である。
【図９】図９は、この発明の第２実施例に示す帯状包装材の紙継ぎ装置を用いて、旧帯状包装材を押さえる状態を示す側面断面図である。
【図１０】図１０は、この発明の第２実施例に示す帯状包装材の紙継ぎ装置において、図９に示す状態の後、更に新帯状包装材を押さえている状態を示す側面断面図である。
【図１１】図１１は、図１０に示すこの発明の第２実施例に示す帯状包装材の紙継ぎ装置の一部を拡大して示す側面断面図である。
【発明を実施するための形態】
【００２５】
以下、添付した図面に基づいて、この発明による帯状包装材の紙継ぎ方法及び装置の実施例を説明する。図１はこの発明による帯状包装材の紙継ぎ装置の第１実施例を示す斜視図、図２は図１に示す帯状包装材の紙継ぎ装置のテープセット部材の使い方を説明する斜視図であり、図３は図１に示す帯状包装材の紙継ぎ装置の縦断面図である。
【００２６】
図１〜図３に示す帯状包装材の紙継ぎ装置１は、例えば縦型製袋充填包装機に装填される帯状包装材（包装用の帯状フィルム）ＦｗのフィルムロールＦｒに関連して配設されている。新しいフィルムロールＦｒは、非常に長い帯状フィルムＦｗをその巻取り芯となる紙管Ｒｃに密に巻き取ったものであるので、相当の重量がある。縦型製袋充填包装機の全体的な構造及びフィルムロールＦｒの運搬や巻取り軸２５への装填の作業性を考慮して、フィルムロールＦｒの装填位置は、通常、縦型製袋充填包装機の裏側で且つ設置床寄りの低い位置とされている。フィルムロールＦｒは、紙管Ｒｃを巻取り軸２５に嵌装することで、縦型製袋充填包装機への装填が行われる。包装機運転時、フィルムロールＦｒから帯状フィルムＦｗを繰り出す際には、図示しないサーボモータによって巻取り軸２５の回転駆動が制御され、帯状フィルムＦｗの繰出しタイミング及び繰出し量が制御される。
【００２７】
縦型製袋充填包装機は、通常、フィルムロールＦｒの交換やフィルムの紙継ぎのために作業員が包装機の裏側にアクセス可能となるように設置されている。フィルムロールＦｒの交換を行った際に、使用し終わった旧帯状包装材のフィルム終了端に、交換した新しいフィルムロールＦｒの開始端を繋ぐ作業が行われる。そうした紙継ぎ作業を効率的に行うため、紙継ぎ装置１はフィルムロールＦｒの装填位置の上方位置で且つ作業を行いやすい高さに配設されている。
【００２８】
紙継ぎ装置１は、台面２ａが昇り斜めとなるように傾斜して配置された紙継ぎ台２と、紙継ぎ台２の帯状フィルム送り方向の上流側と下流側にそれぞれ軸線が横に延びる方向に配置されていて帯状フィルムＦｗの送りを案内するローラ３，４と、上流側のローラ３の近傍の左右両側に配置されているテープセット部材５，５を備えている。テープセット部材５は、その主要な部品としての上下方向に回動可能に設けられたテープセット板６を備えている。紙継ぎ台２及びローラ３，４の軸は、それぞれ左右の固定フレーム８，８に取り付けられている。
【００２９】
紙継ぎ台２は、従来のように吸気孔が開口しているものではなく、単純に平面である台面２ａを備えているものであってよい。紙継ぎ台２には幅方向に延びるスケール２４を取り付けて、帯状フィルムＦｗの帯幅寸法に応じて左右の位置合わせができるようにすることが好ましい。上流側のローラ３は紙継ぎ台２の下辺から斜め下方（作業する側から見て手前側）に僅かに離れて配置されており、下流側のローラ４は紙継ぎ台２の上辺から斜め上方（作業する側から見て先奥側）に僅かに離れて配置されている。そして、ローラ３，４に共通に接する平面は、紙継ぎ台２の台面２ａに対して平行ではあるが若干量オフセットして浮いた位置にある。したがって、包装機を作動させるような通常時には、ローラ３，４によって案内される帯状フィルムＦｗが紙継ぎ台２の台面２ａから僅かに離れて走行し、紙継ぎ台２が帯状フィルムＦｗの走行の邪魔にならないような構造とされている。
【００３０】
左右の固定フレーム８，８間には、上流側のローラ３の手前側で且つ若干下方の位置に、横軸７がローラ３の軸線と平行に掛け渡されて設けられている。テープセット部材５，５は、横軸７に対してそれぞれ左右両側において、その軸線方向に沿って移動可能となるように設けられている。テープセット部材５を横軸７に沿って移動させることで、テープセット板６，６間の間隔Ｗが紙継ぎすべき帯状フィルムＦｗの帯幅ｗ（図４等参照）に応じた間隔となるように、テープセット部材５，５の各位置を調節することができる。
【００３１】
横軸７は、図示の例では、断面が正方形のような角形の軸であり、左右両側の固定フレーム８，８に対して角形の頂点が上と下及び手前と奥を占めるような姿勢で取り付けられている。横軸７には、テープセット板６が取り付けられたアダプタ９がスライド可能に設けられている。即ち、アダプタ９は、それぞれ、横軸７の断面形状に対応した形状の孔１２が形成されることで筒状とされた本体１１を備えており、本体１１の孔１２に横軸７を嵌挿させることで、アダプタ９は横軸７の軸線回りに回転することなく、横軸７に沿ってスライド可能となる。アダプタ９には摘み１０を備えることで、横軸７に対するスライドを容易にすることができる。また、アダプタ９の横軸７に対する摺動面となる筒状の孔１２に、例えば、フェルト材を貼り付けて多少の摺動抵抗があるように構成することで、アダプタ９を横軸７に沿ってスライド可能であるが勝手に動いてしまうような盲動を防止することができる。
【００３２】
アダプタ９は、それぞれ、テープセット板６を回動自在に取り付けるため、本体１１から一体的に延びた一対の対向するアーム状の取付け部１３，１３を備えている。取付け部１３，１３には、横軸７の軸線方向と平行な方向に延びる回転軸１４が取り付けられている。テープセット板６は、長さの途中で「く」の字状に折れ曲がった板であり、回転内側となる内板部１５と回転外側となる外板部１６を備えている。テープセット板６は、内板部１５に折り曲げて形成されたフランジ状の一端部１７，１７において、回転軸１４の軸線回りに回動可能に取り付けられている。なお、回転軸１４は、端部１７，１７と一体であるとし、取付け部１３，１３に対して回転可能に支持される構造でもよい。
【００３３】
テープセット板６は、手動により回転軸１４の回りに回転される。テープセット板６を回転軸１４の回りに手前且つ下側に倒した状態では、内板部１５がアダプタ９の本体１１に係止し、外板部１６が鉛直方向に垂れ下がった姿勢を取っており、粘着テープ（紙継ぎテープ）を貼り付けやすくなっている。このとき、手前側の案内ローラ３と横軸７との間には隙間１８が形成されているので、フィルムロールＦｒから繰り出されている帯状フィルムＦｗは、隙間１８を通して奥側の案内ローラ４、即ち、包装機側へと送ることができる。粘着テープの貼付け作業の詳細については後述する。
【００３４】
また、テープセット板６を回転軸１４の回りに上側且つ先奥方向に倒したときには、外板部１６の板面が紙継ぎ台２の台面２ａに対して重なる状態となる。このとき、内板部１５はローラ３と干渉することがないように、ローラ３とテープセット板６は互いの形状・構造及び配置が設定されている。
【００３５】
粘着テープＴａをテープセット部材５，５に供給するテープ供給部２０が設けられている。テープ供給部２０は、固定フレーム８に対して縦方向に軸線が延びる態様で取り付けられたロール軸２１を備えており、ロール軸２１は巻き取られた粘着テープロールＴｒの紙芯に挿入されて粘着テープロールＴｒをテープ繰出しのために回転自在としている。粘着テープロールＴｒがその重さで支持軸２１から下方に抜け落ちないように、粘着テープロールＴｒの下側面に当接する等の適宜の支持部材２２を備えている。また、粘着テープロールＴｒから繰り出した粘着テープＴａを粘着テープロールＴｒから切り出すために、テープカッタ２３を設けてもよい。テープカッタ２３を設けない場合には、鋏で粘着テープＴａを切る。
【００３６】
図４〜図６は、図１〜図３に示す帯状包装材の紙継ぎ装置を用いて帯状包装材の紙継ぎを説明する図であり、図４は粘着テープＴａをテープセット部材５，５にセットして、帯状フィルムＦｗの終了端を形成するまでの工程を示す図である。図４（ａ）に示すように、帯状フィルムＦｗの使い切り終了に近づいたが、まだフィルムロールＦｒ繰り出されている状態にある。テープセット板６，６は、帯状フィルムＦｗの帯幅ｗよりも若干広い間隔Ｗを置いて、それぞれが帯状フィルムＦｗの側方に位置され、且つ手前側に垂れ下がった状態に置かれている。粘着テープＴａとしては、片側のみが粘着面となっている通常の荷造りテープを用いてよい。粘着テープＴａは、粘着テープロールＴｒから非粘着面を手前側とし粘着面を奥側に向けた状態で引き出されて、テープセット板６，６の外板部１６，１６に手前側から貼り付けられる。テープセット板６，６は、回転軸１４の回りの回動ができるのみ（スライド方向には盲動が防止されている）であるので、粘着テープＴａを手前側から外板部１６に押し付けて貼り付ける際に過度にぐらつくことがなく、粘着テープＴａはテープセット板６，６に対して弛むことなく掛け渡してセットされる。
【００３７】
図４（ｂ）に示すように、粘着テープロールＴｒから引き出された粘着テープＴａは、テープセット板６，６の両外方に若干はみ出る長さにカットされる。粘着テープＴａは、帯状フィルムＦｗの帯幅ｗに対応した長さを有しており、それ故、帯状フィルムＦｗが貼られることになる主テープ部Ｔｍと、主テープ部Ｔｍの両端からはみ出した余剰テープ部Ｔｅ，Ｔｅとから成るものとして示されている。更に、図４（ｃ）に示すように、帯状フィルムＦｗが、垂れ下がっているテープセット板６，６よりも充分下方の位置で、横方向にカットされて、主テープ部Ｔｍに貼り付けられることになる帯状フィルムＦｗの終了端Ｆｆが形成される。
【００３８】
図５は、形成した終了端Ｆｆの処理を行う工程を示す図である。図５（ａ）に示すように、終了端Ｆｆが形成された帯状フィルムＦｗを紙継ぎ台２と先奥側の案内ローラ４との間の隙間１９を通して垂れ下げることで、帯状フィルムＦｗが紙継ぎ台２の台面２ａに掛かることがないようにする。次に、図５（ｂ）に示すように、テープセット板６，６を、粘着テープＴａが掛け渡された状態で、回転軸１４の回りに跳ね上げるように約半回転させてテープセット板６，６を紙継ぎ台２に倒し、テープセット板６，６の外板部１６，１６が紙継ぎ台２の台面２ａに重なるようにする。粘着テープＴａは、粘着面を上に向けて紙継ぎ台２の台面２ａ上に置かれ、テープセット板６，６がその自重によって粘着テープＴａの余剰テープ部Ｔｅ，Ｔｅを台面２ａ上に押さえ、それによって、粘着テープＴａが紙継ぎ台２上において固定される。
【００３９】
次に、図５（ｃ）に示すように、終了端Ｆｆが形成された帯状フィルムＦｗを、隙間１９を通して引き上げて、紙継ぎ台２の台面２ａ上に置かれた粘着テープＴａの主テープ部Ｔｍにおいて終了端Ｆｆを貼り付ける。この場合、帯状フィルムＦｗを、その終了端Ｆｆが粘着テープＴａの上半分内に位置するように、貼るのが好ましい。
【００４０】
図６は、旧帯状フィルムの終了端と新帯状フィルムの開始端を継ぐ処理を行う工程を示す図である。帯状フィルムＦｗを使い切ったフィルムロールＦｒを巻取り軸２５から取り除き、新しいフィルムロールＦｒを巻取り軸２５に装填する。図６（ａ）に示されているように、図５（ｃ）に示した旧帯状フィルムＦｗ（以下、Ｆｗｏの符号を付す）の終了端Ｆｆが貼られている粘着テープＴａに、新しく装填したフィルムロールＦｒから繰り出した新帯状フィルムＦｗ（以下、Ｆｗｎの符号を付す）の開始端Ｆｓを、同じく粘着テープＴａの主テープ部Ｔｍにおいて、下半分内に位置するように貼り付ける。終了端Ｆｆと開始端Ｆｓとは、両端縁が互いに突き合わされるように概略対向していればよく、包装機への付着が懸念されるような大きな隙間でなければ多少の隙間があっても構わない。ただし、終了端Ｆｆと開始端Ｆｓとは、包装機の制御負担を軽減するため新旧帯状フィルムＦｗの模様合わせを行う（レジマークのピッチが紙継ぎ位置で変わらない）のが好ましく、新旧の帯状フィルムＦｗｎ，Ｆｗｏが粘着テープＴａを介して確実に繋がっていることが重要である。なお、終了端Ｆｆ及び開始端Ｆｓは、それぞれ帯状フィルム（旧帯状包装材）Ｆｗｏと帯状フィルム（新帯状包装材）Ｆｗｎのうち粘着テープＴａに貼り付けられる範囲の部分として定める。
【００４１】
次に、図６（ｂ）に示されているように、粘着テープＴａからテープセット板６，６を剥がし、そのテープセット板６，６を回転軸１４の回りに起こして元の垂れ下がる待機位置にまで戻す。更に、図６（ｃ）に示されているように、新旧の帯状フィルムＦｗｎ，Ｆｗｏの両側縁からはみ出た粘着テープの余剰テープ部Ｔｅ，Ｔｅを帯状フィルムＦｗｎ，Ｆｗｏの両側縁に対応する位置（主テープ部Ｔｍとの境界位置）を谷折りの折返し線として折り返し、新旧の帯状フィルムＦｗｎ，Ｆｗｏの終了端Ｆｆ及び開始端Ｆｓを粘着テープＴａで挟むように貼り付ける。図６（ｃ）に示す状態で、新旧の帯状フィルムＦｗｎ，Ｆｗｏの紙継ぎが完了する。なお、図示の例では、描写の明確さを期して、粘着テープＴａの余剰テープ部Ｔｅ，Ｔｅの幅をフィルム幅ｗに対して大きな比率で描いたが、余剰テープ部Ｔｅ，Ｔｅの幅は、少なくともテープセット板６，６の幅よりは広く確保されているので、新旧の帯状フィルムＦｗｎ，Ｆｗｏの紙継ぎされる両端・両側を補強する程度であれば充分である。
【００４２】
実施例においては、紙継ぎ台２は、単純に平らな平面２ａを備えているものであるとして説明したが、帯状フィルムＦｗの終了端Ｆｆ及び開始端Ｆｓを綺麗に揃えるため、カッタナイフのカッタ刃が通過可能な横方向に延びる切断用のスリット（又は溝）を形成してもよい。紙継ぎ台２の縦長さを充分に取ることができる場合には、粘着テープＴａを掛け渡したテープセット板６，６を紙継ぎ台２上に反転させたときに粘着テープＴａと干渉することがない縦方向に充分離れた位置に、旧帯状フィルムＦｗｏ用のスリットと新帯状フィルムＦｗｎ用のスリットの二条のスリットとすることができる。また、紙継ぎ台２の縦長さを充分に取ることができない場合には、一条のスリットを設けることでよい。この場合、カッタナイフは、粘着テープＴａを掛け渡したテープセット板６，６を紙継ぎ台２上に反転させる前に、スリット上方で重ねられた新旧の帯状フィルムＦｗｎ，Ｆｗｏに対してスリットを通過させるように使用することで、終了端Ｆｆと開始端Ｆｓを切り揃えることができる。粘着テープＴａには、切り揃えた終了端及び開始端を揃えた状態で貼り付けることができ、紙継ぎに失敗がない。
【００４３】
また、横軸７は断面が角形としたが、これに限ることはない。回転自由でなくなればよいので、それ以外の異形の断面とすることができる。断面円形としても、円筒周面に溝を形成して、アダプタ９その溝に嵌まる突起を形成してもよい。
また、テープセット板６，６には、回動軸１４の回りにトグル形式となるように、ばねを設けて、下に垂れ下がった状態と、反転されて紙継ぎ台２の台面２ａ上に押えられる状態とにそれぞれ付勢させることができる。
【００４４】
図７〜図１１には、本発明による帯状包装材の紙継ぎ装置の第２実施例が示されている。第２実施例による紙継ぎ装置は、テープセット部材に加えて、本発明における包装材押さえ部材として、フィルム押さえ部材を備えている。図７及び図８は、それぞれ第２実施例による紙継ぎ装置の紙継ぎ前におけるテープセット部材及びフィルム押さえ部材が共に待機位置にある状態と、紙継ぎ作業のために両部材が共に継ぎ台上の作業位置にある状態を示す斜視図である。また、図９〜図１０は、それぞれ図７及び図８に示す紙継ぎ装置において、紙継ぎに際してテープセット部材及びフィルム押さえ部材による旧帯状包装材の終了端を押さえる状態と新帯状包装材の開始端を押さえる状態を説明する側面断面図であり、図１１は図１０に示す紙継ぎ装置の一部を拡大して示す側面断面図である。なお、図１１においては、新旧の帯状フィルムは紙継ぎ台３２やテープセット板４６の外板部４８と当接している状態にあるが、図示の都合上、離れて描かれている。
【００４５】
図７〜図１１に示す紙継ぎ装置３１は、固定フレーム８，８に固定されており且つ表側に平坦で且つ傾斜した台面３２ａを有する紙継ぎ台３２を備えている。紙継ぎ装置３１は、第１実施例の場合と同様に、紙継ぎ台３２の帯状フィルム送り方向の上流側と下流側にそれぞれ配置されていて帯状フィルムＦｗの送りを案内する案内ローラ３，４を備えている。紙継ぎ装置３１は、更に、第１実施例の場合のテープセット部材５，５と同様に、固定フレーム８，８に近い左右両側において、上流側のローラ３の近傍に配置されているテープセット部材３５，３５を備えている。紙継ぎ装置３１は、更に、紙継ぎに際して旧帯状フィルムＦｗｏの終了端を押さえるフィルム押さえ部材３６と、同じく紙継ぎに際して紙継ぎをすべき新帯状フィルムＦｗｎの開始端を押さえるフィルム押さえ部材３７とを備えている。テープセット部材３５，３５は、切り出された紙継ぎテープが粘着面でテープセット部材３５，３５に貼り付けされる待機位置（図７に示す位置）と、紙継ぎテープを両余剰テープ部において紙継ぎ台上に押える作業位置（図８に示す位置）との間で移動可能である。また、フィルム押さえ部材３６，３７についても、新旧帯状フィルムＦｗから離れた待機位置（図７に示す位置）と、新旧帯状フィルムＦｗを紙継ぎ台上に押える作業位置（図８に示す位置）との間で移動可能である。
【００４６】
紙継ぎ装置３１の紙継ぎ台３２には、その両横端を除き横幅の殆どに亙って横方向に互いに平行に延びる３本のスリット４０，４１，４２が形成されている。紙継ぎをすべき旧帯状フィルムＦｗｏの終端部が、上下方向中央のスリット４０を跨ぐように引かれて台面３２ａ上に置かれる。中央のスリット４０は、旧帯状フィルムＦｗｏの終端部を切断するときに、切断用のカッタの刃先を案内しつつ通過させるのに用いられる。スリット４０によるカッタ刃の案内により、旧帯状フィルムＦｗｏの切断端縁は真っ直ぐとなる。また、上側のスリット４１と下側のスリット４２とは、それぞれ、旧帯状フィルムＦｗｏの終了端と新帯状フィルムＦｗｎの開始端が風や静電気で煽られて台面３２ａから浮き上がるのを防止するため、フィルム押さえ部材３６，３７と協働して終了端と開始端の近傍でそれら帯状フィルムを押さえ込むのに用いられるスリットである。第２実施例におけるフィルムの押さえと紙継ぎの操作の詳細については、図９〜図１１を参照して後述する。
【００４７】
横軸４５が、固定フレーム８，８に取り付けられたブラケット４４，４４間に掛け渡され且つブラケット４４，４４に対して固定支持されている。横軸４５は、テープセット部材３５，３５を回動可能とする本発明の回転軸に相当する。テープセット部材３５，３５は、横軸４５に対してその両端付近に寄せられて配置されている。各テープセット部材３５は、基本的に、第１実施例におけるテープセット部材５と同様の構造を有している。即ち、各テープセット部材３５は、第１実施例におけるテープセット板６と同様に板材を折り曲げて形成されているテープセット板４６を備えており、テープセット板４６は、回動の内側を占める内板部４７と、その外側に連続して繋がった外板部４８と、内板部４６の内側に連続して繋がり横軸４５に対して取り付けられる取付け部４９とを備えている。
【００４８】
テープセット部材３５は、板材からなるアタッチメント５０を、テープセット板４６の取付け部４９との間で横軸４５を挟むようにしてテープセット板４６に対して取り付けることで、横軸４５を握り締める態様で取り付けられる。アタッチメント５０によるテープセット部材３５の横軸４５への取付けは、第１実施例のアダプタ９による取付けに相当する。テープセット部材３５は、横軸４５の回りに手動にて比較的自由に回動させることができる。テープセット部材３５を回動させてテープセット板４６が紙継ぎ台３２に当接するとき（作業位置を占める）、テープセット板４６の外板部４８は紙継ぎ台３２の台面３２ａに丁度面当たりする状態に載せられる。詳細を後述するフィルム押さえ部材３７を待機位置に開いた状態では、テープセット部材３５は横軸４５に対して自重によって垂れ下がる状態となる。テープセット部材３５は、横軸４５に対して握り締めがもたらす摩擦によって軸方向に不用意に動くことはないが、テープセット部材３５を押すことで横軸４５の軸方向にスライドさせることができる。こうしたスライドによって、紙継ぎをすべき帯状フィルムＦｗの帯幅ｗの寸法に応じて、テープセット部材３５の横軸４５に対する軸方向取り付け位置を調整することができる。
【００４９】
旧帯状フィルムＦｗｏをその終了端の近傍で押さえる上側のフィルム押さえ部材３６は、固定フレーム８，８に取り付けられたブラケット５４，５４間に固定的に掛け渡された支持軸５５に対して左右端部５７，５７にて回動可能に支持された板状のフィルム押さえ本体５６を備えている。フィルム押さえ本体５６の左右端部５７，５７以外の回動中心寄りの部分は大きく開いた切欠き部５８に形成されており、材料節約を兼ねた軽量化と、図８に示すように紙継ぎ台３２上への閉じた状態で切り欠きを通してスケール２４を目視可能化が図られている。
【００５０】
フィルム押さえ本体５６には、略全幅に亙って、押さえ縁部材５９が板材を折り曲げて成る取付け片６０の先端に被せる態様で取り付けられている。押さえ縁部材５９は、帯状フィルムＦｗとの摩擦を高めるために、ゴムや樹脂製とされる。取付け片６０は、フィルム押さえ本体５６の左右端部５７，５７に対して、ボルト６１と図示しない長溝（取付け片６０に形成される）よって支持軸５５に対して遠近する方向に位置調節可能に取り付けられる。フィルム押さえ本体５６の先端には、押さえ縁部材５９の近傍で且つ平行になるように、押さえ縁部材５９と同様の構造を有する補助押さえ縁部材６２が設けられている。支持軸５５には、左右端部５７，５７に対応する部位にボルト６３が貫通する態様で固設されている。ボルト６３は、図９（ａ）に示すように支持軸５５に対して垂直姿勢とされているが、こうした姿勢に限られない。ボルト６３は、フィルム押さえ本体５６が開いた状態でフィルム押さえ本体５６の一部に当接し、それ以上の開きを阻止する。したがって、ボルト６３は、フィルム押さえ本体５６が最も先奥側へ開いたときの位置である待機位置を規定している。
【００５１】
フィルム押さえ部材３６をその待機位置から紙継ぎ台３２上の作業位置へと回動させたとき、押さえ縁部材５９の先端は紙継ぎ台３２の上側のスリット４１内に嵌まり込もうとする。押さえ縁部材５９は、スリット４１の縁との間で旧帯状フィルムＦｗｏを挟み込むので、旧帯状フィルムＦｗｏをその終了端Ｆｆの近傍において紙継ぎ台３２上に確実に押さえることができる。このとき、補助押さえ縁部材６２は、押さえ縁部材５９とスリット４１との間で挟まれた旧帯状フィルムＦｗｏをその終了端Ｆｆ寄りの位置で上方から押える。フィルム押さえ部材３６は、旧帯状フィルムＦｗｏの終了端Ｆｆが風や静電気によって煽られて紙継ぎ台３２から浮き上がる、或いはカールするのを有効に抑えることができ、補助押さえ縁部材６２は更にその抑制効果を高めることができる。
【００５２】
新帯状フィルムＦｗｎをその開始端の近傍で押さえる下側のフィルム押さえ部材３７は、テープセット部材３５を支持する横軸４５に対して左右端部６７，６７にて回動可能に支持された板状のフィルム押さえ本体６６を備えている。フィルム押さえ本体６６の左右端部６７，６７以外の回動中心寄りの部分は小さく開いた切欠き部６８に形成されており、切欠き部６８を通して案内ローラ３とそれに巻き掛けて案内される新帯状フィルムＦｗｎの開始端Ｆｓをチェックすることができる。
【００５３】
フィルム押さえ本体６６には、略全幅に亙って、押さえ縁部材５９と同様の押さえ縁部材６９が先端に被せる態様で取り付けられている。支持軸４５には、左右端部６７，６７に対応する部位にボルト７３が貫通する態様で固設されている。ボルト７３は、図９（ａ）に示すように横軸４５に対して水平姿勢で固定されているが、こうした姿勢に限られない。ボルト７３は、フィルム押さえ本体６６が最も開いた状態でフィルム押さえ本体６６の一部に当接し、それ以上の開きを阻止する。したがって、ボルト７３は、フィルム押さえ本体６６が最も手前側へ開いたときの位置である待機位置を規定している。
【００５４】
フィルム押さえ部材３７をその待機位置から紙継ぎ台３２上の作業位置へと回動させたとき、押さえ縁部材６９の先端は紙継ぎ台３２の下側のスリット４２内に嵌まり込もうとする。押さえ縁部材６９は、スリット４２の縁との間で新帯状フィルムＦｗｎを挟み込むので、新帯状フィルムＦｗｎをその開始端Ｆｓの近傍において紙継ぎ台３２上に確実に押さえることができる。フィルム押さえ部材３７は、新帯状フィルムＦｗｎの開始端Ｆｓが風や静電気によって煽られて紙継ぎ台３２から浮き上がる、或いはカールするのを有効に抑えることができる。
【００５５】
フィルム押さえ部材３６，３７を紙継ぎ台３２上の作業位置へと回動させた状態では、紙継ぎ台３２の台面３２ａにおいては、実質的に上下のスリット４１，４２間の領域３２ｂが両部材３６，３７に覆われることなく、この領域３２ｂにおいて新旧帯状フィルムＦｗｏ，Ｆｗｎの終了部Ｆｆとその近傍及び開始端Ｆｓとその近傍が表に現れている。更に、テープセット板４６，４６を横軸４５の回りに回動させて作業位置にもたらすと、テープセット板４６，４６は、内板部４７がフィルム押さえ本体６６を覆い、外板部４８，４８が表に現れている領域３２ｂにおいて新旧帯状フィルムＦｗｏ，Ｆｗｎの終了部Ｆｆと開始端Ｆｓとを含む領域において当接して重なる。テープセット板４６，４６に貼り付けられた粘着テープＴａは、台面の領域３２ｂに置かれるとき、粘着面を上にし、終了部Ｆｆと開始端Ｆｓとを覆って、テープ幅の中央部分を中央のスリット４０に合わせた状態でスリット４０に沿って横に延びることになる。
【００５６】
図９は、図７及び図８に示す紙継ぎ装置３１が、紙継ぎ開始状態と、テープセット部材３５及びフィルム押さえ部材３６によって帯状フィルムＦｗを押さえる状態を説明する図である。紙継ぎ開始状態では、図９（ａ）に示すように、フィルム押さえ部材３６，３７は共にボルト６３，７３によって規制されている待機位置で開いた状態にあり、テープセット部材３５，３５も手前側に待機位置に回動されて自重によって垂れた状態にある。案内ローラ４に巻き掛けられた旧帯状フィルムＦｗｏの終端部が、紙継ぎ台３２の台面３２ａにおいて中央のスリット４０を越えて斜面下方にまで引き出される。その状態で、フィルム押さえ部材３６が支持軸５５の回りに手前側に回動されて、図９（ｂ）に示すように、押さえ縁部材５９がスリット４１との間で旧帯状フィルムを押さえ込み、補助押さえ縁部材６２がフィルムの浮き上がりを押さえる。この状態で、カッタ（図示せず）を、その刃先を中央のスリット４０に案内させながら、スリット４０に沿って移動させることによって、旧帯状フィルムＦｗｏの終端部をスリット４０に沿って真っ直ぐに切断する。旧帯状フィルムＦｗｏの切り口は、終了端Ｆｆの端縁となる。切断によって生じたフィルム屑は取り除いておく。
【００５７】
図１０は、図７及び図８に示す紙継ぎ装置３１が、フィルム押さえ部材３７によって新帯状フィルムＦｗｎの開始端を押さえている状態と、その後、テープセット部材３５を紙継ぎ台３２にセットして、新旧の帯状フィルムＦｗｎ，Ｆｗｏの紙継ぎを行う状態を説明する図である。図１０（ａ）及び図１１（ａ）に示すように、新帯状フィルムＦｗｎをフィルムロールから繰り出してその開始端Ｆｓを、既にセットされている旧帯状フィルムＦｗｏの終了端Ｆｆに対して模様合わせをした上で、当該終了端Ｆｆと端縁同士を突き合わせた状態に置く。次に、フィルム押さえ部材３７を横軸４５の回りに回動して作業位置に移動させる。このとき、押さえ縁部材６９がスリット４２の縁との間で新帯状フィルムＦｗｎの開始端Ｆｓの近傍を挟んで押さえ込む。回動されるフィルム押さえ本体６６は、テープセット板４６の取付け部４９の先端に当接してテープセット板４６を手前側に持ち上げるように回動させる。これにより、テープセット部材３５の操作がし易くなる。
【００５８】
その後、図１０（ｂ）及び図１１（ｂ）に示すように、テープセット部材３５，３５（粘着テープＴａが外板部４８に貼り付けられている）を横軸４５の回りに回動させて、外板部４８を台面３２上の旧帯状フィルムＦｗｏの終了端Ｆｆと新帯状フィルムＦｗｎの開始端Ｆｓを含む領域の上に載せる。図１０（ｂ）及び図１１（ｂ）に示されている状態の後、旧帯状フィルムＦｗｏについては、押さえ縁部材５９で紙継ぎ台３２上に押さえられている状態を維持しながら、粘着テープＴａの下に置かれている部分を表側に引き出して終了端Ｆｆを粘着テープＴａの主テープ部Ｔｍの上半分に貼り付ける。新帯状フィルムＦｗｎについても、押さえ縁部材６９で紙継ぎ台３２上に押さえられている状態を維持しながら、粘着テープＴａの下に置かれている部分を表側に引き出して開始端Ｆｓを粘着テープＴａの主テープ部Ｔｍの下半分に貼り付ける。各テープセット部材３５から剥がした余剰テープ部Ｔｅを主テープ部Ｔｍに貼り付けられている終了端Ｆｆと開始端Ｆｓ上に折り返して貼り付けることで、新旧の帯状フィルムＦｗｎ，Ｆｗｏの紙継ぎが行われる。
【００５９】
第２実施例における新旧の帯状フィルムＦｗｎ，Ｆｗｏの紙継ぎにおいて、片面が粘着面である紙継ぎテープＴａが、帯状フィルムＦｗの帯幅ｗに相当する長さを持つ主テープ部Ｔｍとその両端にそれぞれ延びる余剰テープ部Ｔｅとを有する紙継ぎ長さに切り出されること、切り出された紙継ぎテープＴａは、テープ長手方向が帯状フィルムＦｗの帯幅方向に揃う状態とされ、且つ粘着面を上にして、両余剰テープ部Ｔｅにおいてテープセット部材３５，３５によって紙継ぎ台３２上に押えられること、新旧の帯状フィルムＦｗｎ，Ｆｗｏの終了端Ｆｆと開始端Ｆｓは、互いに模様合わされて、紙継ぎテープＴａの主テープ部Ｔｍに対して紙継ぎテープＴａの幅方向に分けて貼り付けられること、各テープセット部材３５を両余剰テープ部Ｔｅから剥がして、余剰テープ部Ｔｅを主テープ部Ｔｍとの境界を谷状の折返し線として主テープ部Ｔｍに貼り付けられている両帯状フィルムＦｗｎ，Ｆｗｏの終了端Ｆｆと開始端Ｆｓ上に折り返して貼り付けられることについては、第１実施例の場合と同様であるので、再度の説明を省略する。
【００６０】
第２実施例では、上記の説明において、旧帯状フィルムＦｗｏのみをカットするとして説明したが、新帯状フィルムＦｗｎについてもフィルムロールから繰り出して、その始端部を中央のスリット４０を越えて斜面上方にまで引き出し、台面３２ａの領域３２ｂ上で旧帯状フィルムＦｗｏの終端部に対して互いに模様合わせ状態に重ねて、重ねられた状態にある旧帯状フィルムＦｗｏの終端部と新帯状フィルムＦｗｎの始端部を、スリット４０を利用して、カッタによって同時に切断してもよい。切断後の新旧帯状フィルムＦｗｏ，Ｆｗｎの終了端Ｆｆと開始端Ｆｓとは模様合わせの状態にあり、且つそれらの切断端縁は、互いに重なることがなく且つ正確に突き合わせた状態に切り揃えられることになる。
【符号の説明】
【００６１】
１  紙継ぎ装置
２  紙継ぎ台                        ２ａ  台面
３，４  案内ローラ                  ５  テープセット部材
６  テープセット板                  ７  横軸
８，８  固定フレーム                ９  アダプタ
１０  摘み                          １１  本体
１２  孔                            １３  取付け部
１４  回動軸                        １５  内板部
１６  外板部                        １７  一端部
１８，１９  隙間
２０  テープ供給部                  ２１  ロール軸
２２  支持部材                      ２３  支持部材
２４  スケール                      ２５  巻取り軸
３１  紙継ぎ装置                    ３２  紙継ぎ台
３２ａ  台面                        ３２ｂ  領域
３５，３５  テープセット部材        ３６，３７  フィルム押さえ部材
４０，４１，４２  スリット
４４，４４  ブラケット              ４５  横軸
４６  テープセット板                ４７  内板部
４８  外板部                        ４９  取付け部
５０  アタッチメント                ５４，５４  ブラケット
５５  支持軸                        ５６  フィルム押さえ本体
５７，５７  左右端部                ５８  切欠き部
５９  押さえ縁部材                  ６０  取付け片
６１  ボルト                        ６２  補助押さえ縁部材
６３  ボルト                        ６６  フィルム押さえ本体
６７，６７  左右端部                ６８  切欠き部
６９  押さえ縁部材                  ７３  ボルト
Ｆｗ  帯状フィルムＦｗ              Ｆｒ  フィルムロール
Ｆｆ  終了端                        Ｆｓ  開始端
Ｒｃ  紙管
ｗ  帯幅                            Ｗ  間隔
Ｔｒ  粘着テープロール              Ｔａ  粘着テープ（紙継ぎテープ）
Ｔｍ  主テープ部                    Ｔｅ  余剰テープ部
【図１】
2016204108.tif 000003
【図２】
2016204108.tif 000004
【図３】
2016204108.tif 000005
【図４】
2016204108.tif 000006
【図５】
2016204108.tif 000007
【図６】
2016204108.tif 000008
【図７】
2016204108.tif 000009
【図８】
2016204108.tif 000010
【図９】
2016204108.tif 000011
【図１０】
2016204108.tif 000012
【図１１】
2016204108.tif 000013